【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
レンズ鏡胴を突出させる突出位置と、前記レンズ鏡胴を退避させる退避位置との間で駆動するレンズ駆動部を有する沈胴式レンズ鏡胴と、
背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、
前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、
前記防水式主筐体と前記防水式副筐体とを、前記第１接合面と前記第２接合面との間で１８０度の角度分で回動自在かつシール状態にする回動シール手段と、
前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、
前記検出手段に接続されるとともに前記レンズ駆動部の駆動制御を行う制御手段と、を備えた防水式光学装置であって、
前記制御手段は、前記検出手段により前記第２状態から前記第１状態に操作されたことが検出されると、当該検出に遅れて、前記レンズ鏡胴を前記退避位置から前記突出位置に駆動制御し、
前記第１状態から前記第２状態に操作されたことが検出されると、前記レンズ鏡胴を前記突出位置から前記退避位置に即座に駆動制御することを特徴とする防水式光学装置。
【請求項２】
前記制御手段に接続されるとともに装置全体の電源のオン・オフを行う電源スイッチをさらに備え、
前記制御手段は、前記検出手段により前記第２状態から前記第１状態に操作されたことが検出されると、前記電源スイッチをオンにするとともに、前記第１状態から前記第２状態に操作されたことが検出されると、前記電源スイッチをオフにすることを特徴とする請求項１に記載の防水式光学装置。
【請求項３】
前記回動シール手段は、
前記第２円形開口部の縁部から外側に向かう外壁部を形成し、前記第１円形開口部の縁部から内側に向かう内壁部を形成し、
前記外壁部と前記内壁部との間に無端シール部材を介在させるように、前記無端シール部材を前記外壁部または前記内壁部に固定し、
前記外壁部を前記内壁部に挿通して前記無端シール部材によるシール状態を維持し、
前記第２円形開口部の縁部の内側の面に当接する鍔部および切欠き部を形成した円形ブラケット部材を前記第２円形開口部に挿通し、
前記円形ブラケット部材の前記切欠き部を前記第１円形開口部に形成される形状部に嵌合させることで回り止めを行い、前記第１円形開口部の近傍に配置される略Ｃ形状の固定部材を用いて前記円形ブラケット部材を固定し、
前記第１円形開口部の内周面の対称位置に形成された１対のストッパー部に対して前記第２円形開口部に形成された突起部が当接することで１８０度の角度分で回動自在となるように形成されることを特徴とする請求項１又は２に記載の防水式光学装置。
【請求項４】
前記回動シール手段は、さらに前記第１接合面と前記第２接合面の間に位置する無端リップシール部材を備え、前記無端リップシール部材を前記第１接合面または前記第２接合面に固定したことを特徴とする請求項３に記載の防水式光学装置。
【請求項５】
前記防水式主筐体の前記背面から前記第１接合面にかけてシール状態で着脱可能に設けられる背面蓋部材を備え、前記回動シール手段を前記第１円形開口部の内側から取り付け可能にしたことを特徴とする請求項１乃至４のいずれか１項に記載の防水式光学装置。
【請求項６】
前記背面蓋部材は、弾性素材から構成され、係合面に対して垂直な面による断面形状が溝部を有する略凹形状に形成された蓋用無端シール部材を縁部に備え、前記防水式主筐体の一方の係合面に、前記蓋用無端シール部材を収容する収容溝部が連続して形成されることで二重のシール機能が確保されることを特徴とする請求項５に記載の防水式光学装置。
【請求項７】
前記第１接合面と前記第２接合面は、同一直径の円形面であり、前記防水式副筐体の横断面形状は前記円形面の前記第２接合面から連続形成される楕円形状であり、
前記防水式主筐体の横断面形状は前記円形面の前記第１接合面から次第に矩形形状に近くなるように連続形成されることを特徴とする請求項１に記載の防水式光学装置。
【請求項８】
前記防水式主筐体は前記第１状態において水平面上で自立可能な形状を有することを特徴とする請求項１に記載の防水式光学装置。
【請求項９】
前記防水式主筐体は内蔵される電池及び記憶媒体を開放面を介して交換可能にするためにシール状態で回動可能に設けられる回動蓋部材を備え、
前記回動蓋部材は、前記開口部に対して開閉自在かつ係止可能にする開閉スライド機構を介して設けられる蓋組立体を備え、
前記開閉スライド機構は、
前記開口部の一端の近傍に設けられる蝶番部材と、
前記蝶番部材により前記開口部の他端に向けてスライド可能に案内されるとともに、前記防水式主筐体に対して係止可能に設けられる蓋本体と、を備え、
前記蓋本体に対して、
弾性材料から構成され、平坦部とそれに続く傾斜部を形成したシール形状部材と、
剛性材料から構成され、前記シール形状部材の前記平坦部の下面に設けられる支持部材と、
剛性材料から構成され、前記シール形状部材の前記平坦部の上面に設けられるスペーサ部材とを積層させて固定し、
前記蓋組立体を回動させて前記開口部を閉塞するときに、前記シール形状部材の前記傾斜部が前記開口部の内周面と密着されることでシール機能が確保されることを特徴とする請求項１乃至８のいずれか１項に記載の防水式光学装置。
【請求項１０】
前記無端シール部材、前記無端リップシール部材、前記蓋用無端シール部材及び前記シール形状部材は、天然ゴム、化学合成ゴム、高分子樹脂素材、シリコン系ゴム、エラストマ―、テフロン（登録商標）系ゴム、フッ素のうちの少なくともいずれかの素材から形成されることを特徴とする請求項６に記載の防水式光学装置。
【請求項１１】
前記無端シール部材及び前記無端リップシール部材には、表面に潤滑処理または撥水処理が施されることを特徴とする請求項１０に記載の防水式光学装置。
【請求項１２】
前記防水式光学装置は撮像装置であり、前記防水式主筐体の前記背面において液晶表示面を覆う光透過性の表示面を形成したことを特徴とする請求項１乃至１１のいずれか１項に記載の防水式光学装置。
【請求項１３】
前記検出手段は、
前記第２接合面側に設けられたアクチュエータと、
前記アクチュエータにより通電がオン・オフされるように前記第２接合面側において対称位置に固定される第１センサ及び第２センサと、
を備えることを特徴とする請求項１に記載の防水式光学装置。
【請求項１４】
前記外壁部を係止状態及び非係止状態にするように前記制御手段に接続される電磁ソレノイドをさらに備え、
前記検出手段は、
前記第２接合面側に設けられたアクチュエータと、
前記アクチュエータにより通電がオン・オフされるように前記第２接合面側において対称位置に固定される第１センサ及び第２センサと、を備え、
前記アクチュエータは、
前記第１センサ及び第２センサの通電のオン・オフを短時間行う小アクチュエータと、
前記第１センサ及び第２センサの通電のオン・オフを長時間行う大アクチュエータとを有し、
前記第２状態において、前記第１センサは前記小アクチュエータで通電がオンにされ、前記第２センサは前記大アクチュエータで通電がオンにされ、かつ前記電磁ソレノイドは前記外壁部を前記非係止状態に維持し、前記レンズ鏡胴を前記退避位置に位置させ、
前記第１状態において、前記第１センサは前記大アクチュエータで通電がオンにされ、前記第２センサは前記小アクチュエータで通電がオンにされ、かつ前記電磁ソレノイドは前記外壁部を前記係止状態に維持し、前記レンズ鏡胴を前記突出位置に位置させることを特徴とする請求項３に記載の防水式光学装置。
【請求項１５】
レンズ鏡胴を突出させる突出位置と、前記レンズ鏡胴を退避させる退避位置との間で駆動するレンズ駆動部を有する沈胴式レンズ鏡胴と、
背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、
前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、
前記防水式主筐体と前記防水式副筐体とを、前記第１接合面と前記第２接合面との間で１８０度の角度分で回動自在かつシール状態にする回動シール手段と、
前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、
前記検出手段に接続されるとともに前記レンズ駆動部の駆動制御を行う制御手段と、を備えた防水式光学装置の制御方法であって、
前記制御手段は、前記検出手段により前記第２状態から前記第１状態に操作されたことが検出されると、当該検出に遅れて、前記レンズ鏡胴を前記退避位置から前記突出位置に駆動制御する工程と、
前記第１状態から前記第２状態に操作されたことが検出されると、前記レンズ鏡胴を前記突出位置から前記退避位置に即座に駆動制御する工程と、を備えることを特徴とする防水式光学装置の制御方法。
【請求項１６】
前記防水式光学装置は、前記第２接合面側を係止状態及び非係止状態にするように前記制御手段に接続される電磁ソレノイドをさらに備え、
前記検出手段は、
前記第２接合面側に設けられたアクチュエータと、
前記アクチュエータにより通電がオン・オフされるように前記第２接合面側において対象位置に固定される第１センサ及び第２センサと、を備え、
前記アクチュエータは、
前記第１センサ及び前記第２センサの通電のオン・オフを短時間行う小アクチュエータと、
前記第１センサ及び前記第２センサの通電のオン・オフを長時間行う大アクチュエータとを有し、
前記第２状態において、前記第１センサは前記小アクチュエータで通電がオンにされ、前記第２センサは前記大アクチュエータで通電がオンにされ、かつ前記電磁ソレノイドは前記第２接合面側を前記非係止状態に維持し、前記レンズ鏡胴を前記退避位置に位置させ、
前記第１状態において、前記第１センサは前記大アクチュエータで通電がオンにされ、前記第２センサは前記小アクチュエータで通電がオンにされ、かつ前記電磁ソレノイドは前記第２接合面側を前記係止状態に維持し、前記レンズ鏡胴を前記突出位置に位置させることを特徴とする請求項１５に記載の防水式光学装置の制御方法。
【手続補正２】
【補正対象書類名】明細書
【補正対象項目名】０００９
【補正方法】変更
【補正の内容】
【０００９】
上述した課題を解決し、目的を達成するために、本発明によれば、レンズ鏡胴を突出させる突出位置と、前記レンズ鏡胴を退避させる退避位置との間で駆動するレンズ駆動部１０６を有する沈胴式レンズ鏡胴１２と、背面から前面にかけて上面に対して角度４５度の傾斜面を成すように側面に形成される第１接合面７と、前記第１接合面に穿設されるとともに前記沈胴式レンズ鏡胴を挿通する大きさを有する第１円形開口部７ａとを有した防水式主筐体２と、前面から背面にかけて上面に対して角度４５度の傾斜面を成すように一方の側面に形成される第２接合面８と、前記第２接合面に穿設されるとともに前記沈胴式レンズ鏡胴を挿通する大きさを有する第２円形開口部８ａと、前記沈胴式レンズ鏡胴の対物レンズに対向する他方の側面に設けられた防水レンズ４と、を有する防水式副筐体３と、前記防水式主筐体と前記防水式副筐体とを、前記第１接合面と前記第２接合面との間で１８０度の角度分で回動自在かつシール状態にする回動シール手段２０と、前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段１０１、１０２、１０５と、前記検出手段に接続されるとともに前記レンズ駆動部の駆動制御を行う制御手段１００とを備えた防水式光学装置であって、前記制御手段は、前記検出手段により前記第２状態から前記第１状態に操作されたことが検出されると、当該検出に遅れて、前記レンズ鏡胴を前記退避位置から前記突出位置に駆動制御し、前記第１状態から前記第２状態に操作されたことが検出されると、即座に前記レンズ鏡胴を前記突出位置から前記退避位置に駆動制御することを特徴としている。
また、前記制御手段に接続されるとともに装置全体の電源のオン・オフを行う電源スイッチをさらに備え、前記制御手段は、前記検出手段により前記第２状態から前記第１状態に操作されたことが検出されると、前記電源スイッチをオンにするとともに、前記第１状態から前記第２状態に操作されたことが検出されると、前記電源スイッチをオフにすることを特徴としている。
【手続補正３】
【補正対象書類名】明細書
【補正対象項目名】００１０
【補正方法】変更
【補正の内容】
【００１０】
また、前記回動シール手段は、前記第２円形開口部の縁部から外側に向かう外壁部２２を形成し、前記第１円形開口部の縁部から内側に向かう内壁部２１を形成し、前記外壁部と前記内壁部との間に無端シール部材２３を介在させるように、前記無端シール部材を前記外壁部または前記内壁部に固定し、前記外壁部を前記内壁部に挿通して前記無端シール部材によるシール状態を維持し、前記第２円形開口部の縁部の内側の面に当接する鍔部２５ｃおよび切欠き部２５ａを形成した円形ブラケット部材２５を前記第２円形開口部に挿通し、前記円形ブラケット部材の前記切欠き部を前記第１円形開口部に形成される形状部２６に嵌合させることで回り止めを行い、前記第１円形開口部の近傍に配置される略Ｃ形状の固定部材２７を用いて前記円形ブラケット部材を固定し、前記第１円形開口部の内周面の対称位置に形成された１対のストッパー部３１、３２に対して前記第２円形開口部に形成された突起部３９が当接することで１８０度の角度分で回動自在となるように形成されることを特徴としている。
【手続補正４】
【補正対象書類名】明細書
【補正対象項目名】００１３
【補正方法】変更
【補正の内容】
【００１３】
また、前記背面蓋部材は、弾性素材から構成され、係合面に対して垂直な面による断面形状が溝部を有する略凹形状に形成された蓋用無端シール部材を縁部に備え、前記防水式主筐体の一方の係合面に、前記蓋用無端シール部材を収容する収容溝部が連続して形成されることで二重のシール機能が確保されることを特徴としている。
【手続補正５】
【補正対象書類名】明細書
【補正対象項目名】００１６
【補正方法】変更
【補正の内容】
【００１６】
また、前記防水式主筐体は内蔵される電池及び記憶媒体を開放面を介して交換可能にするためにシール状態で回動可能に設けられる回動蓋部材を備え、前記回動蓋部材は、前記開口部に対して開閉自在かつ係止可能にする開閉スライド機構を介して設けられる蓋組立体を備え、前記開閉スライド機構は、前記開口部の一端の近傍に設けられる蝶番部材と、前記蝶番部材により前記開口部の他端に向けてスライド可能に案内されるとともに、前記防水式主筐体に対して係止可能に設けられる蓋本体と、を備え、前記蓋本体に対して、弾性材料から構成され、平坦部とそれに続く傾斜部を形成したシール形状部材と、剛性材料から構成され、前記シール形状部材の前記平坦部の下面に設けられる支持部材と、剛性材料から構成され、前記シール形状部材の前記平坦部の上面に設けられるスペーサ部材とを積層させて固定し、前記蓋組立体を回動させて前記開口部を閉塞するときに、前記シール形状部材の前記傾斜部が前記開口部の内周面と密着されることでシール機能が確保されることを特徴としている。
【手続補正６】
【補正対象書類名】明細書
【補正対象項目名】００１７
【補正方法】変更
【補正の内容】
【００１７】
また、前記無端シール部材、前記無端リップシール部材、前記蓋用無端シール部材及び前記シール形状部材は、天然ゴム、化学合成ゴム、高分子樹脂素材、シリコン系ゴム、エラストマ―、テフロン（登録商標）系ゴム、フッ素のうちの少なくともいずれかの素材から形成されることを特徴としている。
また、前記無端シール部材及び前記無端リップシール部材には、表面に潤滑処理または撥水処理が施されることを特徴としている。
【手続補正７】
【補正対象書類名】明細書
【補正対象項目名】００１８
【補正方法】変更
【補正の内容】
【００１８】
また、前記防水式光学装置は撮像装置であり、前記防水式主筐体の前記背面において液晶表示面を覆う光透過性の表示面を形成したことを特徴としている。
【手続補正８】
【補正対象書類名】明細書
【補正対象項目名】００１９
【補正方法】変更
【補正の内容】
【００１９】
また、前記検出手段は、前記第２接合面側に設けられたアクチュエータと、前記アクチュエータにより通電がオン・オフされるように前記第２接合面側において対称位置に固定される第１センサ及び第２センサと、を備えることを特徴としている。
【手続補正９】
【補正対象書類名】明細書
【補正対象項目名】００２０
【補正方法】変更
【補正の内容】
【００２０】
また、前記外壁部を係止状態及び非係止状態にするように前記制御手段に接続される電磁ソレノイドをさらに備え、前記検出手段は、前記第２接合面側に設けられたアクチュエータと、前記アクチュエータにより通電がオン・オフされるように前記第２接合面側において対称位置に固定される第１センサ及び第２センサと、を備え、前記アクチュエータは、前記第１センサ及び第２センサの通電のオン・オフを短時間行う小アクチュエータと、前記第１センサ及び第２センサの通電のオン・オフを長時間行う大アクチュエータとを有し、前記第２状態において、前記第１センサは前記小アクチュエータで通電がオンにされ、前記第２センサは前記大アクチュエータで通電がオンにされ、かつ前記電磁ソレノイドは前記外壁部を前記非係止状態に維持し、前記レンズ鏡胴を前記退避位置に位置させ、前記第１状態において、前記第１センサは前記大アクチュエータで通電がオンにされ、前記第２センサは前記小アクチュエータで通電がオンにされ、かつ前記電磁ソレノイドは前記外壁部を前記係止状態に維持し、前記レンズ鏡胴を前記突出位置に位置させることを特徴としている。
【手続補正１０】
【補正対象書類名】明細書
【補正対象項目名】００２１
【補正方法】変更
【補正の内容】
【００２１】
また、レンズ鏡胴を突出させる突出位置と、前記レンズ鏡胴を退避させる退避位置との間で駆動するレンズ駆動部を有する沈胴式レンズ鏡胴と、背面から前面にかけて上面に対して角度４５度の傾斜面を成すように側面に形成される第１接合面と、前記第１接合面に穿設されるとともに前記沈胴式レンズ鏡胴を挿通する大きさを有する第１円形開口部と、を有した防水式主筐体と、前面から背面にかけて上面に対して角度４５度の傾斜面を成すように一方の側面に形成される第２接合面と、前記第２接合面に穿設されるとともに前記沈胴式レンズ鏡胴を挿通する大きさを有する第２円形開口部と、前記沈胴式レンズ鏡胴の対物レンズに対向する他方の側面に設けられた防水レンズと、を有する防水式副筐体と、前記防水式主筐体と前記防水式副筐体とを、前記第１接合面と前記第２接合面との間で１８０度の角度分で回動自在かつシール状態にする回動シール手段と、前記回動シール手段を介して前記防水式主筐体と前記防水式副筐体とが相対的に１８０度回動されることで、前記防水式主筐体の長手方向に対して前記防水式副筐体の長手方向が直交する第１状態になったこと及び前記防水式主筐体の長手方向と前記防水式副筐体の長手方向とが一致する第２状態になったことを検出する検出手段と、前記検出手段に接続されるとともに前記レンズ駆動部の駆動制御を行う制御手段と、を備えた防水式光学装置の制御方法であって、前記制御手段は、前記検出手段により前記第２状態から前記第１状態に操作されたことが検出されると、当該検出に遅れて、前記レンズ鏡胴を前記退避位置から前記突出位置に駆動制御する工程と、前記第１状態から前記第２状態に操作されたことが検出されると、即座に前記レンズ鏡胴を前記突出位置から前記退避位置に駆動制御する工程とを備えることを特徴としている。
そして、前記防水式光学装置は、前記第２接合面側を係止状態及び非係止状態にするように前記制御手段に接続される電磁ソレノイドをさらに備え、前記検出手段は、前記第２接合面側に設けられたアクチュエータと、前記アクチュエータにより通電がオン・オフされるように前記第２接合面側において対象位置に固定される第１センサ及び第２センサと、を備え、前記アクチュエータは、前記第１センサ及び前記第２センサの通電のオン・オフを短時間行う小アクチュエータと、前記第１センサ及び前記第２センサの通電のオン・オフを長時間行う大アクチュエータとを有し、前記第２状態において、前記第１センサは前記小アクチュエータで通電がオンにされ、前記第２センサは前記大アクチュエータで通電がオンにされ、かつ前記電磁ソレノイドは前記第２接合面側を前記非係止状態に維持し、前記レンズ鏡胴を前記退避位置に位置させ、前記第１状態において、前記第１センサは前記大アクチュエータで通電がオンにされ、前記第２センサは前記小アクチュエータで通電がオンにされ、かつ前記電磁ソレノイドは前記第２接合面側を前記係止状態に維持し、前記レンズ鏡胴を前記突出位置に位置させることを特徴としている。